(57)【要約】  １つの実施形態では、光電子アセンブリは、１つ以上の送信機または１つ以上の受信機と、スリーブと、ハウジングと、ファイバスタブと、レセプタクルとを備えてよい。スリーブは、光ファイバの光伝送部分を受け入れるように寸法決定および形状決定されているスリーブ開口部を形成してよい。ハウジングは、送信機または受信機を少なくとも部分的には包含するハウジングキャビティを形成してよい。ハウジングは、レンズポート開口部を形成するレンズポートを備えてよい。ファイバスタブは、少なくとも部分的にはスリーブ開口部とレンズポート開口部とに配置されてよい。レセプタクルは、レセプタクル開口部を形成してよい。レンズポート、スリーブおよびファイバスタブは、少なくとも部分的にはレセプタクル開口部に配置されてよい。
2020522742.tif 000002
【特許請求の範囲】
【請求項１】
光電子アセンブリ用のコネクタアセンブリであって、
光伝送媒体を備えるファイバスタブと、
前記ファイバスタブと光ファイバの対応する光伝送部分とを受け入れるように寸法決定および形状決定されているスリーブ開口部を形成するスリーブと、
１つ以上の送信機または１つ以上の受信機を少なくとも部分的には包含するハウジングキャビティを形成するハウジングであって、前記ファイバスタブの一部を受け入れるように寸法決定および形状決定されているレンズポート開口部を形成するレンズポートを備える、ハウジングと、
前記レンズポート、前記スリーブおよび前記ファイバスタブを受け入れるように寸法決定および形状決定されているレセプタクル開口部を形成するレセプタクルと、を備え、
前記ファイバスタブは、少なくとも部分的には前記レンズポート開口部と前記スリーブ開口部とに配置されており、
前記スリーブおよび前記レンズポートは、少なくとも部分的には前記レセプタクル開口部に配置されている、コネクタアセンブリ。
【請求項２】
前記レセプタクルは、前記光ファイバの光ファイバコネクタと嵌合するように構成されている、請求項１に記載のコネクタアセンブリ。
【請求項３】
前記送信機または前記受信機は、短波長送信機または短波長受信機である、請求項１に記載のコネクタアセンブリ。
【請求項４】
前記ハウジングと前記レセプタクルとは、プラスチック材料を備える、請求項１に記載のコネクタアセンブリ。
【請求項５】
前記レセプタクルは、ＥＭＩを減衰させる材料、または光がそれを通過することを防止する金属充填材をさらに備える、請求項４に記載のコネクタアセンブリ。
【請求項６】
前記ハウジングは、前記ファイバスタブと前記送信機または前記受信機との間において少なくとも部分的には透明である、請求項４に記載のコネクタアセンブリ。
【請求項７】
前記ハウジングは、前記送信機または前記受信機に対し光学的に結合されている１つ以上の光コンポーネントをさらに備える、請求項１に記載のコネクタアセンブリ。
【請求項８】
前記スリーブは、少なくとも部分的には前記スリーブの第１端部と第２端部との間に延びているスロットを備える、請求項１に記載のコネクタアセンブリ。
【請求項９】
前記レセプタクルの内部へと前記レセプタクルの長手方向軸を横切って延びている開口部をさらに備える、請求項１に記載のコネクタアセンブリ。
【請求項１０】
光電子アセンブリであって、
１つ以上の送信機または１つ以上の受信機と、
光ファイバの光伝送部分を受け入れるように寸法決定および形状決定されているスリーブ開口部を形成するスリーブと、
前記送信機または前記受信機を少なくとも部分的には包含するハウジングキャビティを形成するハウジングであって、レンズポート開口部を形成するレンズポートを備える、ハウジングと、
少なくとも部分的には前記スリーブ開口部と前記レンズポート開口部とに配置されているファイバスタブと、
レセプタクル開口部を形成するレセプタクルであって、前記レンズポート、前記スリーブおよび前記ファイバスタブが少なくとも部分的には前記レセプタクル開口部に配置されている、レセプタクルと、を備える、光電子アセンブリ。
【請求項１１】
前記レセプタクルは、前記光ファイバの光ファイバコネクタと嵌合するように構成されている、請求項１０に記載の光電子アセンブリ。
【請求項１２】
前記光電子アセンブリは、短波長光電子アセンブリとして構成されている、請求項１０に記載の光電子アセンブリ。
【請求項１３】
前記ハウジングおよび前記レセプタクルは、プラスチック材料を備える、請求項１０に記載の光電子アセンブリ。
【請求項１４】
前記レセプタクルは、ＥＭＩを減衰させる材料、または光がそれを通過することを防止する金属充填材をさらに備える、請求項１３に記載の光電子アセンブリ。
【請求項１５】
前記ハウジングは、前記ファイバスタブと前記送信機または前記受信機との間において少なくとも部分的には透明である、請求項１３に記載の光電子アセンブリ。
【請求項１６】
前記ハウジングは、前記送信機または前記受信機に対し光学的に結合されている１つ以上の光コンポーネントをさらに備える、請求項１０に記載の光電子アセンブリ。
【請求項１７】
前記スリーブは、少なくとも部分的には前記スリーブの第１端部と第２端部との間に延びているスロットを備える、請求項１０に記載の光電子アセンブリ。
【請求項１８】
前記レセプタクルの内部へと前記レセプタクルの長手方向軸を横切って延びている開口部をさらに備える、請求項１０に記載の光電子アセンブリ。
【請求項１９】
前記レンズポートの内部へと前記レンズポートの長手方向軸を横切って延びている開口部をさらに備える、請求項１０に記載の光電子アセンブリ。
【請求項２０】
前記ファイバスタブ、前記スリーブ、前記レセプタクル、および前記レンズポートは、互いに同心に整列されている、請求項１０に記載の光電子アセンブリ。
【発明の詳細な説明】
【技術分野】
【０００１】
本開示は、一般に、光電子モジュールに関する。詳細には、いくつかの実施形態は、光電子モジュールを光ファイバに光学的および機械的に結合するためのコネクタアセンブリに関する。
【背景技術】
【０００２】
光電子モジュールなどの通信モジュールは、光信号の送受信に関わる様々なコンポーネントを備えてよい。コンポーネントのいくつかは、光電子モジュールのシェル内に収容されてよい。そうしたコンポーネントの例は、送信機光サブアセンブリ（“ＴＯＳＡ”）および／または受信機光サブアセンブリ（“ＲＯＳＡ”）を含んでよい。
【０００３】
他の光電子モジュールとの光通信に関わるように、光電子モジュールは、コネクタ化光ファイバと光学的および機械的に結合されてよい。光電子モジュールは、光ファイバのコネクタを受け入れるように構成されたコネクタアセンブリを含んでよい。光信号は、光ファイバを介して光電子モジュールにより送受信されてよい。光電子モジュールによって受信された光信号は、電気信号に変換されてよい。これに加えて、またはこれに代えて、光電子モジュールは、電気信号を送信用の光信号に変換してよい。本出願の請求項に記載の発明の主題は、上記のいずれかの欠点を解決する実施形態、または上記の環境においてしか動作しない実施形態に限定されない。むしろ、この背景は、本明細書に記載されるいくつかの実施形態が実施され得る１つの例示的な技術領域を示すために提供されるに過ぎない。
【発明の概要】
【０００４】
本開示は、一般に、光電子モジュールに関する。特に、いくつかの実施形態は、光電子モジュールを光ファイバに対し光学的および機械的に結合するためのコネクタアセンブリに関する。
【０００５】
１つの非限定的な実施形態では、光電子アセンブリは、１つ以上の送信機または１つ以上の受信機と、スリーブと、ハウジングと、ファイバスタブと、レセプタクルとを備えてよい。スリーブは、光ファイバの光伝送部分を受け入れるように寸法決定および形状決定されているスリーブ開口部を形成してよい。ハウジングは、送信機または受信機を少なくとも部分的には包含するハウジングキャビティを形成してよい。ハウジングは、レンズポート開口部を形成するレンズポートを備えてよい。ファイバスタブは、少なくとも部分的にはスリーブ開口部とレンズポート開口部とに配置されてよい。レセプタクルは、レセプタクル開口部を形成してよい。レンズポート、スリーブおよびファイバスタブは、少なくとも部分的にはレセプタクル開口部に配置されてよい。
【０００６】
別の実施形態では、光電子アセンブリ用のコネクタアセンブリは、ファイバスタブと、スリーブと、ハウジングと、レセプタクルとを備えてよい。ファイバスタブは、光伝送媒体を備えてよい。スリーブは、ファイバスタブと光ファイバの対応する光伝送部分とを受け入れるように寸法決定および形状決定されてよい。ハウジングは、１つ以上の送信機または１つ以上の受信機を少なくとも部分的には包含するハウジングキャビティを形成してよい。ハウジングは、ファイバスタブの一部を受け入れるように寸法決定および形状決定されているレンズポート開口部を形成してよいレンズポートを備えてよい。レセプタクルは、レンズポート、スリーブおよびファイバスタブを受け入れるように寸法決定および形状決定されているレセプタクルを形成してよい。ファイバスタブは少なくとも部分的にはレンズポート開口部およびスリーブ開口部に配置されてよい。スリーブおよびレンズポートは、少なくとも部分的にはレセプタクル開口部に配置されてよい。
【図面の簡単な説明】
【０００７】
【図１Ａ】一例としての光電子モジュールの斜視図。
【図１Ｂ】一例としての光電子モジュールの斜視図。
【図１Ｃ】図１Ａ〜図１Ｂの光電子モジュールの分解立体図。
【図１Ｄ】図１Ａ〜図１Ｂの光電子モジュールの分解立体図。
【図１Ｅ】図１Ａ〜図１Ｂの光電子モジュールの代替の斜視図。
【図１Ｆ】図１Ａ〜図１Ｂの光電子モジュールの断面図。
【図２Ａ】別の例としての光電子モジュールの斜視図。
【図２Ｂ】図２Ａの光電子モジュールの分解立体図。
【図２Ｃ】図２Ａの光電子モジュールの代替の斜視図。
【図２Ｄ】図２Ａの光電子モジュールの断面図。
【図２Ｅ】図２Ａの光電子モジュールの別の断面図。
【発明を実施するための形態】
【０００８】
この概要では、以下の詳細な説明においてさらに記載される複数の概念のうちの１つの選択が単純化された形態により導入される。この概要は、請求項に記載の発明の主題の重要な特徴または必須の特性を特定することを意図するものではなく、請求項に記載の発明の主題の範囲を定める助けとして用いられることを意図するものでもない。
【０００９】
本開示の特定の実施形態は、添付の図面を参照して記載される。詳細な説明、図面および特許請求の範囲に記載される例示的な実施形態は、限定することを意図されるものではない。本明細書に提示される発明の主題の本質または範囲から逸脱することなく、他の実施形態が利用されてよく、また他の変更がなされてよい。本開示の態様は、一般に、本明細書に記載され、また図面に示されるように、本明細書において明示的にすべてが検討される多種多様な構成に、アレンジされ、代用され、組み合わされ、分離され、および設計されることが可能である。
【００１０】
本開示は、一般に、光電子モジュールに関する。詳細には、いくつかの実施形態は、光電子モジュールを光ファイバに対し光学的および機械的に結合するためのコネクタアセンブリに関する。
【００１１】
光信号を送受信可能な光電子モジュールでは、その光電子モジュールは、光ファイバまたは他の可能光伝送媒体と光学的に結合されてよい。特に、光ファイバは、光電子モジュールの送信機コンポーネントまたは受信機コンポーネントに光信号を方向付ける光電子モジュールの光コンポーネントと光学的に結合されてよい。しかしながら、２つの光伝送媒体間において光信号を送信する光接続部は、その２つの光伝送媒体間を進む光信号の損失または低下を生じ得る。例えば、損失又は低下は、光信号が光ファイバの光伝送部分から光電子モジュールの光コンポーネントに、または光電子モジュールの光コンポーネントから光ファイバの光伝送部分に進むときに生じ得る。
【００１２】
光接続部において生じ得る光の損失または低下の一例は、光反射損失（“ＯＲＬ”または「後方反射」）である。光反射損失は、光信号が２つの光伝送媒体間の境界面において反射するときに生じる。例えば、光反射損失は、光ファイバから進む光信号の一部が光電子モジュールとの境界面において反射すると、生じ得る。そうした状況では、光信号の一部は、光電子モジュールの受信機コンポーネントに到達せず、光信号は低下するか完全に失われる。別の例では、光反射損失は、光電子モジュールから進む光信号の一部が光ファイバとの境界面において反射すると、生じ得る。
【００１３】
光伝送媒体は透明または半透明材料（例えば、光ファイバの透明コア、レンズ、または導波路）であることが多いが、光信号は、空気などの他の光伝送媒体を通じて進んでもよい。したがって、２つの光コンポーネント間の境界面に空間がある場合、光信号は３つの光伝送媒体、すなわち、第１の光コンポーネントと、空気と、次いで第２の光コンポーネントとを通じて進む。光反射損失は、その３つの光伝送媒体のいずれの境界面においても生じ得る。
【００１４】
光電子モジュールの適切な動作を容易にするため、コネクタアセンブリは、光反射損失を低減しつつ光ファイバと光電子モジュールとを光学的に結合するように設計されてよい。光反射損失を低減することにより、光ファイバを介した２つ以上の光電子モジュール間の光通信が容易となり得る。
【００１５】
いくつかの状況では、様々な光電子システムが、光信号を送信するように用いられる波長に基づいて互いに区別されてよい。特に、比較的長波長の光を用いて光信号を送信する光電子システムは、「長波長」光電子システムとして記載されてよく、また、比較的短波長の光を用いて光信号を送信する光電子システムは、「短波長」光電子システムとして記載されてよい。光電子システムは、特定の波長の光を送信するのに適したコンポーネントを備えてよい。例えば、長波長光電子システムは、長波長の光信号を送信するのに適した送信機、受信機および光ファイバを備えてよく、また、短波長光電子システムは、短波長の光信号を送信するのに適した、送信機、受信機および光ファイバを備えてよい。
【００１６】
一般に、長波長光電子システムは、より大きい直径のコアを有する光ファイバとより大きい公差を有する光コンポーネントとを一般に備える短波長光電子システムと比較したとき、より小さい直径のコアを有する光ファイバとより厳しい公差を有する光コンポーネントとを備える。長波長光電子システムは、典型的には、より長い距離にわたるより高い帯域幅の光信号伝送の性能を有するが、そのシステムにおけるコンポーネントにはより厳しい公差が必要とされるため、より高価である。短波長光電子システムは、より大きい直径のコアを有する光ファイバを一般に備えるため、そうしたシステムにおいて用いられる光学素子は、集光するためのより優れた性能を有し、したがって、大きな公差を有し得る。したがって、短波長光電子システムに用いられるコンポーネントは、製造および実装するのに、長波長光電子システムと比べて高価でなくてよい。
【００１７】
光電子システムは、光信号を送信するのに用いられる光のモードに基づいて、互いに区別されてもよい。特に、単一モードの光を用いて光信号を送信する光電子システムは、「シングルモード」光電子システムとして記載されてよく、また、多モードの光を用いて光信号を送信する光電子システムは、「マルチモード」光電子システムとして記載されてよい。光電子システムは、シングルモードまたはマルチモードの光信号を送信するのに適したコンポーネントを備えてよい。例えば、シングルモード光電子システムは、単一モードにより光信号を送信するのに適した送信機、受信機および光ファイバを備えてよく、また、マルチモード光電子システムは、多モードの光により光信号を送信するのに適した送信機、受信機および光ファイバを備えてよい。
【００１８】
一般に、シングルモード光電子システムは、より大きい直径のコアを有する光ファイバとより優れた公差を有する光コンポーネントとを一般に備えるマルチモード光電子システムと比較したとき、より小さい直径のコアを有する光ファイバとより厳しい公差を有する光コンポーネントとを備える。シングルモード光電子システムは、１つのモードの光しか伝搬することを可能としない小さい直径のコアを有する光ファイバを用いるので、光がコアを通過するため生じる光反射の数が減少し、その結果、減衰を低下させ、また光信号が低下することなくより遠くに進むことを可能とする。しかしながら、シングルモード光電子システムは、一般に、厳しい公差を有する光学素子が必要とされる場合があり、したがって、より高価となり得る。
【００１９】
マルチモード光電子システムは、より大きいコアであって、そのコア内を多モードの光が伝搬することを可能とするコアを有する光ファイバを用いるため、光がコアを通過するため生じる光反射の数が増加し、与えられた時間により多くのデータが通過する性能を生じる。しかしながら、そうした光ファイバは、より高いレートの分散および減衰を有し、したがって、光信号の品質は長距離にわたって低下する。マルチモード光電子システムにおいて用いられるコンポーネントは、より優れた公差を有するコンポーネントが実装され得るので、製造および実装するのに、シングルモード光電子システムと比べて高価でなくてよい。
【００２０】
長波長光電子システムは、典型的にはシングルモード光電子システムに対応し、また、短波長光電子システムは、典型的にはマルチモード光電子システムに対応する。しかしながら、いくつかの応用では、他の構成が実装されてよい。
【００２１】
シングルモード光電子システムでは、光反射損失を減少させることによって、シングルモード光電子モジュール用の適切な性能を取得するのを容易にし得る。マルチモード光電子システムでは、光反射損失を減少させることによって、マルチモード光電子モジュールを接続する光ファイバにおけるバックグラウンドノイズが減少し得る。したがって、低い光反射損失を有するコネクタアセンブリが、シングルモード光電子システムまたはマルチモード光電子システムに実装され得る。いくつかの状況では、２６デシベル（ｄＢ）未満の光反射損失を有するコネクタアセンブリが、いくつかの光電子モジュールの適切な性能を容易にし得る。
【００２２】
本開示は、光反射損失を減少させるように光電子モジュールを光ファイバと光学的および機械的に結合するためのコネクタアセンブリの実施形態を含む。これに加えて、またはこれに代えて、記載される実施形態によって、短波長光電子システムおよび／または長波長光電子システムにとって適切な公差を有する光接続部が得られる場合もある。本開示の概念を利用した実施形態は、適切な公差を有する従来のコネクタアセンブリよりも製造するのに比較的高価でないか、光反射損失を低減するか、その両方であってよい。これは、適切な光反射損失特性を有するコネクタアセンブリを有する光電子モジュールを製造するコストを減少させてよい。これに加えて、本開示の概念は、従来の光電子モジュールと比較して、光電子モジュールの光反射損失特性を向上し得る。本明細書に記載される概念は、アセンブリを単純化することにより、製造過程を単純化する能力を含む様々な利点も提供し得る。さらに、本明細書に記載される概念は、既存製品の全寸法および構造を修正することなく実装されてよい。
【００２３】
実施形態は、光ネットワークの分野において用いられる光電子モジュールの文脈により記載されるが、本開示の態様は、本明細書に開示される機能が有用であり得る他の分野および／または動作環境において利用されてよいことが認識される。したがって、本開示の範囲は、本明細書に開示される例としての実装および動作環境に限定されると解釈されるものではない。
【００２４】
図１Ａ〜図１Ｆは、光電子モジュール１００の一例としての実施形態の図を示す。図１Ａは光電子モジュール１００の頂面斜視図であり、図１Ｂは光電子モジュール１００の底面斜視図である。示されるように、光電子モジュール１００は、光電子モジュール１００を光ファイバ１０２に対し光学的および機械的に結合するためのコネクタアセンブリ１５０を備えてよい。
【００２５】
光電子モジュール１００は、レーザなどの１つまたは複数の送信機コンポーネントを有する送信機光サブアセンブリ（“ＴＯＳＡ”）か、１つまたは複数の受信機コンポーネントを有する受信機光サブアセンブリ（“ＲＯＳＡ”）か、その両方として構成されてよい。光電子モジュール１００が送信機コンポーネントと受信機コンポーネントとの両方を備える場合、光電子モジュール１００は、光電子送受信機と呼ばれてよい。
【００２６】
光電子モジュール１００は、互いに対し結合されているベース１０４とハウジング１０６とを備えてよい。ベース１０４は、ハウジング１０６の底部に対し結合されてよい。ハウジング１０６は、ハウジング１０６の頂部からハウジング１０６の内部に延びるキャビティ１０７を形成してよい。いくつかの構成では、ハウジング１０６は、少なくとも部分的にまたは全体的にプラスチック材料から形成されてよい。示されていないが、光電子モジュール１００は、少なくとも部分的にはキャビティ１０７を塞ぐカバーを備えてよい。いくつかの構成では、カバーは、電磁的干渉（ＥＭＩ）減衰材料を、光電子モジュール１００または他のコンポーネントによって生成されるＥＭＩを吸収するために備えてよい。
【００２７】
以下にさらに詳細に記載されるように、ハウジング１０６は、送信機コンポーネントおよび／または受信機コンポーネントなどの、ベース１０４上に配置されるコンポーネントを少なくとも部分的には包含してよい。いくつかの構成では、送信機コンポーネントおよび／または受信機コンポーネントは、短波長送信機および／または受信機を備えてよい。光ファイバ１０２は、光電子モジュール１００と、別の光電子モジュールまたはファイバ光ネットワークに含まれ得る他のコンポーネントなどの他のコンポーネントとの間において光信号を送信してよい。光ファイバ１０２は、光信号を伝送する光伝送媒体を備える。例えば、光ファイバ１０２は、１または複数の透明または半透明のコアであって、そのコア内を光信号が進むことを可能とするコアを備えてよい。
【００２８】
光ファイバ１０２は、光ファイバ１０２の一端または終端に光ファイバコネクタを備えてよい。光ファイバコネクタは、光ファイバ１０２を光電子モジュール１００に接続することを容易にしてよい。光ファイバ１０２のコネクタは、ＳＣ，ＬＣ，ＦＣ，ＳＴ，ＭＰＯ／ＭＴＰまたは任意の他の適切な標準など、１つまたは複数のファイバコネクタ標準に準拠してよい。光ファイバコネクタ標準は、寸法などの光ファイバコネクタの設計の態様と、光ファイバ１０２を対応する光電子モジュールに対し機械的および／または光学的に結合するように利用される安全機構とを指定してよい。
【００２９】
以下にさらに詳細に記載されるように、コネクタアセンブリ１５０は、光ファイバ１０２の光ファイバコネクタと嵌合するように構成されてよい。特に、コネクタアセンブリ１５０は、上記の標準に準拠する光ファイバコネクタと嵌合するように寸法決定および形状決定されてよい。コネクタアセンブリ１５０は、光ファイバ１０２の安全機構と結合するためのフィーチャを備えてよい。これに加えて、またはこれに代えて、コネクタアセンブリ１５０自身は、ＳＴ，ＳＣ，ＬＣ，ＦＣ，ＳＴ，ＭＰＯ／ＭＴＰまたは任意の他の適切な標準など、１つまたは複数のコネクタ標準に準拠するように構成されてよい。
【００３０】
コネクタアセンブリ１５０は、第１端部１１２と第２端部１１４との間に延びるとともに第１端部１１２と第２端部１１４とを備えるレセプタクル１１０を備えてよい。第１端部１１２は、光ファイバ１０２を受け入れるように寸法決定および形状決定されてよい。第２端部１１４は、ハウジング１０６と嵌合するように寸法決定および形状決定されてよい。第２端部１１４は、レセプタクル１１０の長手方向軸を横切ってレセプタクル１１０の内部へと延びている、開口部１１６を形成してよい。開口部１１６は、レセプタクル１１０の内部に配置されるコンポーネントを固定するように、材料がレセプタクル１１０の内部へと注入されることを可能としてよい。例えば、エポキシ樹脂などの接着剤が、開口部１１６を通じてレセプタクル１１０へと配置されてよい。レセプタクル１１０は、任意の適切な数の開口部１１６を備えてよく、開口部１１６は、レセプタクル１１０の任意の位置に（例えば、第１端部１１２に近接して）配置されてよい。
【００３１】
示される構成では、第１端部１１２は円筒状であり、第２端部１１４は、平坦または平面部分を有する、部分的には円筒状である。第１端部１１２は、第２端部１１４の対応する直径よりも小さい直径を備える。第１端部１１２と第２端部１１４との間には、狭小部分が配置されている。レセプタクル１１０は、光ファイバ１０２の端部にて、または光ファイバ１０２の端部付近にて光ファイバコネクタと機械的に結合するためのフィーチャを備えてよい。レセプタクル１１０の他の適切な構成が、異なる要求に適合するように実装されてよい。
【００３２】
いくつかの構成では、レセプタクル１１０は、少なくとも部分的にまたは全体的にプラスチック材料から形成されてよい。さらに、いくつかの態様では、レセプタクル１１０は、材料であって、レセプタクル１１０の該材料を光が通過することを防止するための材料を含んでよい。これに加えて、またはこれに代えて、レセプタクル１１０は、光電子モジュール１００および／または他のコンポーネントによって生成されるＥＭＩを減衰させる材料を含んでよい。例えば、レセプタクル１１０の材料を光が通過することを防止するため、および／またはＥＭＩを減衰させるために、金属充填材がレセプタクル１１０の材料に含まれてよい。他の構成では、他の充填材またはＥＭＩ減衰材料が実装されてよい。
【００３３】
レセプタクル１１０は、ＳＣ，ＬＣ，ＦＣ，ＳＴ，ＭＰＯ／ＭＴＰまたは任意の他の適切な標準など、１つまたは複数のファイバコネクタ標準に準拠する光ファイバコネクタに嵌合するように寸法決定および形状決定されてよい。レセプタクル１１０は、光ファイバ１０２の固定機構と結合するためのフィーチャを備えてよい。
【００３４】
図１Ｃは、光電子モジュール１００の頂面分解立体図であり、図１Ｄは、光電子モジュール１００の底面分解立体図である。示されるように、コネクタアセンブリ１５０は、ハウジング１０６およびレセプタクル１１０の内側に配置されるように寸法決定および形状決定されているファイバスタブ１２０およびスリーブ１３０を備えてよい。
【００３５】
ファイバスタブ１２０は、第１端部１２２と第２端部１２４との間に延びるとともに第１端部１２２と第２端部１２４とを備えてよい。以下にさらに詳細に記載されるように、第１端部１２２は、光ファイバ１０２と光学的に結合されてよく、第２端部１２４は、光電子モジュール１００の他のコンポーネントと光学的に結合されてよい。ファイバスタブ１２０は、光信号が光電子モジュール１００と光ファイバ１０２との間を進むことを可能とするように、ファイバコアなどの光伝送媒体を備えてよい。
【００３６】
ファイバスタブ１２０は、光ファイバ１０２と光学的にインタフェースをなすように、光ファイバ１０２のコアに対向して配置されてよい。これに代えて、ファイバスタブ１２０は、光ファイバ１０２と光学的にインタフェースをなすように、光ファイバ１０２のコアに近接して配置されてよい。
【００３７】
いくつかの構成では、別の光伝送媒体が、光信号がファイバスタブ１２０と光ファイバ１０２のコアとの間を進むことを可能とするように、ファイバスタブ１２０と光ファイバ１０２のコアとの間に配置されてよい。示される実施形態はファイバスタブ１２０を備えるが、ファイバスタブ１２０に代えて、またはファイバスタブ１２０に加えて、任意の適切な光伝送媒体が光電子モジュール１００に実装されてよい。
【００３８】
ファイバスタブ１２０の直径は、光ファイバ１０２のコアの直径と対応するように選択されてよい。これに加えて、またはこれに代えて、ファイバスタブ１２０の光学的構成（例えば、シングルモード、マルチモードなど）が、光ファイバ１０２のコアに対応するように選択されてよい。
【００３９】
スリーブ１３０は、ファイバスタブ１２０と光ファイバ１０２の対応する光伝送部分とを互いに機械的および光学的に結合するように、ファイバスタブ１２０と光ファイバ１０２の対応する光伝送部分とを少なくとも部分的には包囲するように構成されてよい。スリーブ１３０は、第１端部１３２と第２端部１３４との間に延びるとともに第１端部１３２と第２端部１３４とを含んでよく、ファイバスタブ１２０および／または光ファイバ１０２のコアを受け入れるように寸法決定および形状決定されている開口部１３６を形成してよい。開口部１３６は、第１端部１３２と第２端部１３４との間に延びてよく、ファイバスタブ１２０の外径に相当する内径を含んでよい。いくつかの構成では、スリーブ１３０は、セラミック材料を含んでよい。
【００４０】
スリーブ１３０は、部分的または全体的に弾性材料から形成されてよく、スリーブ１３０が変形してスリーブ１３０の内径および／または外径を変化させることを可能とするように、第１端部１３２と第２端部１３４との間に延びるスロット１３８を形成してよい。特に、スリーブ１３０の弾性は、スロット１３８が拡張または収縮することを可能とし、それによってスリーブ１３０の特定の寸法（例えば、内径、内径および／または外径）を変化させてよい。いくつかの構成では、スリーブ１３０は二酸化ジルコニウムまたは他の適切な材料を含んでよい。
【００４１】
いくつかの状況では、スロット１３８は、スリーブ１３０の内径よりも大きい外径を含み得るコンポーネントをスリーブ１３０が受け入れることを可能とすることによって、スリーブ１３０の公差を増加させてよい。例えば、ファイバスタブ１２０は、スリーブ１３０の内径よりも大きい外径を含み得るが、しかしながら、スリーブ１３０の弾性およびスロット１３８の構成によって、スリーブ１３０はファイバスタブ１２０を受け入れるように拡張してよい。スリーブ１３０は、同様にして、光ファイバ１０２のコアを受け入れるように拡張してもよい。
【００４２】
スリーブ１３０が開口部１３６の内径よりも大きい外径を有するコンポーネントを受け入れる状況では、スリーブ１３０の弾性によって、スリーブ１３０の中央長手方向軸に向かう径方向の付勢力が生じてよい。この径方向の力は、スリーブ１３０の開口部１３６の内側に配置されるコンポーネントを保持することを容易にしてよい。例えば、光ファイバ１０２のコアとファイバスタブ１２０とが開口部１３６に配置されるとき、スリーブ１３０の弾性により生じる径方向の力が、光ファイバ１０２とファイバスタブ１２０とをスリーブ１３０の内側に保持してよい。これに加えて、またはこれに代えて、径方向の力は、光ファイバ１０２とファイバスタブ１２０とを互いに保持することを容易にしてよい。
【００４３】
続いて図１Ｃおよび図１Ｄを参照して、ハウジング１０６は、ファイバスタブ１２０、スリーブ１３０および／またはレセプタクル１１０に対応する軸に沿って延び得るレンズポート１４０を備えてよい。レンズポート１４０は、ファイバスタブ１２０の一部を受け入れるように寸法決定および形状決定されている開口部１４２を形成してよい。特に、開口部１４２の内径は、ファイバスタブ１２０の外径に相当してよい。レンズポート１４０は、レセプタクル１１０とインタフェースをなすように寸法決定および形状決定されてもよい。特に、レセプタクル１１０の第２端部１１４は、レンズポート１４０を受け入れるように寸法決定および形状決定されている第１開口部１１８を形成してよい。第１開口部１１８の内径は、レンズポート１４０の外径に相当してよい。レンズポート１４０は、ファイバスタブ１２０が少なくとも部分的にはレセプタクル１１０内に配置されるように、レセプタクル１１０の内側に少なくとも部分的には配置されてよい。レセプタクル１１０の第１端部１１２は、光ファイバ１０２を受け入れるように寸法決定および形状決定されている第２開口部１１９を形成してよい。特に、第２開口部１１９の内径は、光ファイバ１０２のコアの外径に相当してよい。
【００４４】
レンズポート１４０は、レンズポート１４０の長手方向軸を横切ってレンズポート１４０の内部へと延びている、開口部１４４を形成してよい。開口部１４４は、レンズポート１４０の内部に配置されるコンポーネントを固定するように、材料がレンズポート１４０の内部へと注入されることを可能としてよい。例えば、エポキシ樹脂などの接着剤が、開口部１４４を通じてレンズポート１４０へと配置されてよい。レンズポート１４０は、任意の適切な数の開口部１４４を備えてよく、開口部１４４は、レンズポートの任意の部分に配置されてよい。
【００４５】
いくつかの構成では、レセプタクル１１０がレンズポート１４０を包囲するように配置される前に、レンズポート１４０に対してファイバスタブ１２０を固定するように、材料が開口部１４４へと注入されてよい。次いで、レンズポート１４０は、レンズポート１４０を少なくとも部分的には包囲するように配置されてよく、次いで、材料は、レンズポート１４０に対してレセプタクル１１０を固定するように、レセプタクル１１０の開口部１１６へと注入されてよい。
【００４６】
他の構成では、レンズポート１４０が少なくとも部分的にレセプタクル１１０の内側に配置されるとき、レンズポート１４０上の開口部１４４は、レセプタクル１１０の対応する開口部１１６と整合するように配置されてよい。したがって、開口部１４４と開口部１１６とは、材料がレセプタクル１１０の内部へと注入されることと、レンズポート１４０がレセプタクル１１０の内部にコンポーネントを固定することと、を可能としてよい。いくつかの構成では、開口部１４４および開口部１１６は、材料が、開口部１１６へと注入され得るとともに開口部１４４へと進みレンズポート１４０の内部へと進み得るように、流体接続されてよい。そうした構成では、材料を注入することによって、ファイバスタブ１２０が少なくとも部分的にレンズポート１４０とレセプタクル１１０との両方の内側に配置されるように、レンズポート１４０に対してファイバスタブ１２０を固定してよく、またレセプタクル１１０に対してレンズポート１４０を固定してよい。
【００４７】
図１Ｅは、破線により示される特定の内部コンポーネントを有する光電子モジュール１００の斜視図である。図１Ｅに示されるように、ファイバスタブ１２０およびスリーブ１３０は、少なくとも部分的にはレセプタクル１１０の内側に配置されてよい。スリーブ１３０は、ファイバスタブ１２０を少なくとも部分的には包囲してよい。ハウジング１０６は、ハウジング１０６の底部からハウジング１０６の内部に延びる第２のキャビティ１４７を形成してよい。示される構成では、ファイバスタブ１２０、スリーブ１３０、レセプタクル１１０およびレンズポート１４０は、互いに同心に整列されている。
【００４８】
キャビティ１４７は、ベース１０４により少なくとも部分的には塞がれてよい。光電子コンポーネント１５４は、少なくとも部分的にはキャビティ１４７の内側に配置されてよい。光電子コンポーネント１５４は、電気信号を受信し光信号を出力する光送信機、および／または光信号を受信し電気信号を出力する光受信機を備えてよい。光電子コンポーネント１５４は、電気信号および／または光信号を変調するための任意の適切なコンポーネントを備えてもよい。いくつかの構成では、基板が少なくとも部分的にはキャビティ１４７の内側に配置されてよく、光電子コンポーネント１５４がその基板上に配置されてよい。例えば、基板は、フレキシブルプリント回路板（ＰＣＢ）、リジッドプリント回路板（ＰＣＢ）または他の適切な基板であってよい。
【００４９】
ファイバスタブ１２０は、光電子コンポーネント１５４と光ファイバ１０２との間において光信号１５２を伝送してよい（図１Ａ−図１Ｂ参照）。ハウジング１０６は、少なくとも部分的に反射し得る表面１４６を備えてよい。ハウジング１０６は、光が、光電子コンポーネント１５４と表面１４６とファイバスタブ１２０との間においてハウジング１０６を通過することを可能とするように、表面１４６の近傍にて透明である。示されるように、表面１４６は、光信号１５２をファイバスタブ１２０から光電子コンポーネント１５４に、または光電子コンポーネント１５４からファイバスタブ１２０に方向付けるように、光信号１５２を反射してよい。示される構成では、表面１４６はキャビティ１０７に隣接して配置され、キャビティ１０７の一部を形成するが、しかしながら、しかしながら、他の構成が実装されてよい。示されるように、表面１４６は、光電子コンポーネント１５４および／またはファイバスタブ１２０から進む光信号１５２に対してほぼ４５°の角度に配置されてよい。
【００５０】
ハウジング１０６は、光コンポーネント１４８を通じて進む光信号１５２を搬送すること、方向付けること、コリメートすること、焦点を合わせること、のうちの１つ以上を行うように構成されている光コンポーネント１４８を形成してよい。示される構成では、光コンポーネント１４８は、キャビティ１４７の内側に配置されているレンズを備える。示されるように、光コンポーネント１４８は、光電子コンポーネント１５４と表面１４６との間にて光学的に結合される。光コンポーネント１４８は、光電子コンポーネント１５４に、および／または光電子コンポーネント１５４から進む光の焦点を合わせてよい。
【００５１】
図１Ｆは、光電子モジュール１００の内部の態様をさらに示す、光電子モジュール１００の断面図である。ハウジング１０６は、レンズポート１４０の長手方向軸に沿って延びる第３のキャビティ１５７を形成してよい。示されるように、ファイバスタブ１２０は、光信号１５２がファイバスタブ１２０と表面１４６と光電子コンポーネント１５４との間において進み得るように、キャビティ１５７にてハウジング１０６に対向して配置されてよい。ハウジング１０６は、光コンポーネント１５６を通じて進む光信号１５２を搬送すること、方向付けること、コリメートすること、焦点を合わせること、のうちの１つ以上を行うように構成されている光コンポーネント１５６を形成してよい。示される構成では、光コンポーネント１５６は、キャビティ１５７の内側に配置されているレンズを備える。示されるように、光コンポーネント１５６は、ファイバスタブ１２０と表面１４６との間にて光学的に結合される。光コンポーネント１５６は、ファイバスタブ１２０に、および／またはファイバスタブ１２０から進む光の焦点を合わせてよい。
【００５２】
いくつかの構成では、光信号１５２は、光ファイバ１０２から、ファイバスタブ１２０と光コンポーネント１５６とを通じて、表面１４６に進んでよい（図１Ａ−図１Ｂ）。次いで、光信号１５２は、表面１４６によって反射され、光コンポーネント１４８を通じて進んでよく、また、光電子コンポーネント１５４によって受信されてよい。これに加えて、またはこれに代えて、光信号１５２は、光電子コンポーネント１５４にて生成されてよく、次いで、光コンポーネント１４８を通じて表面１４６に進んでよい。次いで、光信号１５２は、表面１４６により反射され、光コンポーネント１５６およびファイバスタブ１２０を通じて、光ファイバ１０２に進んでよい（図１Ａ−図１Ｂ参照）。
【００５３】
いくつかの状況では、ファイバスタブ１２０の表面は、平滑であってよく、また、ファイバスタブ１２０とハウジング１０６および／またはスリーブ１３０などの他のコンポーネントとの間の接合を強化するべく、表面の粗度を増すように修正されてよい。ファイバスタブ１２０の表面は、表面の粗度を増して接合（例えば、エポキシまたは他の接着剤を用いた）を容易にするべく、切込みまたは他の欠陥を作り出すように機械加工されてよい。これは、その結果、アセンブリが完成すると、光電子モジュール１００の強度を向上し得る。
【００５４】
そうした構成の一例は、ファイバスタブ１２０の表面に配置されているチャネル１６０を示す図１Ｆに示される。チャネル１６０は、接合を容易にするように、ファイバスタブ１２０の周囲の周りを延びてよい。いくつかの構成では、チャネル１６０は、機械加工により形成されてよい。チャネル１６０は、エポキシなどの材料が、レンズポート１４０とファイバスタブ１２０との間において、レンズポート１４０とファイバスタブ１２０とを互いに結合するように配置されることを可能としてよい。
【００５５】
第２のチャネル１６２は、ファイバスタブ１２０とレンズポート１４０との間に形成されてよい。いくつかの構成では、チャネル１６２は、ファイバスタブ１２０を光ファイバ１０２および／またはハウジング１０６の光コンポーネントなどの他のコンポーネントと光学的に整合させるように、ファイバスタブ１２０を配置することを容易にしてよい。特に、チャネル１６２は、光学的整合を容易にするようにファイバスタブ１２０がレンズポート１４０に配置されることを可能としてよい。これに加えて、またはこれに代えて、第２のチャネル１６２は、ファイバスタブ１２０とレンズポート１４０とを互いに結合することを容易にしてよい。いくつかの構成では、チャネル１６２は、機械加工により形成されてよい。示されるように、チャネル１６２は、ファイバスタブ１２０がレンズポート１４０において調節されることを可能とする、張り出した構成を備える。ファイバスタブ１２０が光学的に整合されると、チャネル１６２は、レンズポート１４０とファイバスタブ１２０とを互いに結合することを容易にするように、エポキシなどの材料により充填されてよい。
【００５６】
示されるように、第３のチャネル１６４が、ハウジング１０６のレンズポート１４０に形成されてよく、レンズポート１４０とレセプタクル１１０とを互いに結合するように、エポキシなどの材料がレンズポート１４０とレセプタクル１１０との間に配置されることを可能としてよい。チャネル１６０は、レンズポート１４０の周囲の周りを延びてよい。他の構成では、チャネル１６４は、レセプタクル１１０に形成されてよく、および／または光電子モジュール１００における他の位置に配置されてよい。いくつかの構成では、例えば、ハウジング１０６が形成されるときに、チャネル１６４が成形されてよい。
【００５７】
いくつかの構成では、チャネル１６０，１６２および／または１６４へと配置される材料は、互いに異なってよい。例えば、チャネル１６４へと注入される（例えば、外の開口部１１６を通じて）材料は、チャネル１６０へと注入される（例えば、内部の開口部１４４を通じて）材料よりも多くの充填材を含んでよく、または、チャネル１６０へと注入される材料は、チャネル１６４へと注入される材料よりも多くの充填材を含んでよい。これに加えて、またはこれに代えて、チャネル１６４へと注入される材料は、チャネル１６２へと注入される材料よりも多くの充填材および／またはチャネル１６２へと注入される材料とは異なる種類の充填材を含んでよく、または、チャネル１６２へと注入される材料は、チャネル１６４へと注入される材料よりも多くの充填材および／またはチャネル１６４へと注入される材料とは異なる種類の充填材を含んでよい。充填材は、レセプタクル１１０、ハウジング１０６、および／またはファイバスタブ１２０を互いに接合するための所望の接合特性を達成するべく、材料の粘度および／または強度を変化させるように用いられてよい。
【００５８】
続いて図１Ａ−図１Ｆを参照して、光電子モジュール１００の組立と製造の例としての態様が、説明される。上述したように、いくつかの構成では、ハウジング１０６およびレセプタクル１１０は、プラスチックから形成されてよい。ハウジング１０６および／またはレセプタクル１１０は、プラスチック成形または注入成形などの任意の適切な処理によって形成されてよい。
【００５９】
光電子モジュール１００の組立中、ファイバスタブ１２０はハウジング１０６の開口部１４２に配置されてよい。いくつかの構成では、ファイバスタブ１２０は、ファイバスタブ１２０の第２端部１２４がハウジング１０６に少なくとも部分的に当接するように、開口部１４２の端部に配置されてよい（例えば、図１Ｆ参照）。ファイバスタブ１２０およびハウジング１０６は、互いに固定されてよい。例えば、エポキシなどの接着剤が、ファイバスタブ１２０およびハウジング１０６を互いに固定するように、開口部１４４へと注入されてよい。これに加えて、またはこれに代えて、エポキシなどの接着剤が、ファイバスタブ１２０をハウジング１０６に互いに固定するように、第２チャネル１６２へと配置されてよい。他の構成では、ファイバスタブ１２０およびハウジング１０６は、レーザ溶接または超音波溶接によって互いに結合されてよい。
【００６０】
ファイバスタブ１２０の第１端部１２２は、スリーブ１３０の開口部１３６の内側に配置されてよい。スリーブ１３０は、ファイバスタブ１２０の第１端部１２２の周りに配置されてよい。図１Ｆに示されるように、スリーブ１３０は、ハウジング１０６のレンズポート１４０に当接するように配置されてよい。したがって、スリーブ１３０およびハウジング１０６は、スリーブ１３０およびハウジング１０６内に配置されているファイバスタブ１２０を部分的または完全に包囲してよい。
【００６１】
ハウジング１０６、ファイバスタブ１２０およびスリーブ１３０は、少なくとも部分的にはレセプタクル１１０の開口部１１８の内側に配置されてよい。図１Ｆに示されるように、第１の開口部１１８は、第２の開口部１１９の対応する直径よりも大きい直径を含んでよい。レセプタクル１１０は、第１の開口部１１８と第２の開口部１１９との間における狭小部分１６８を備えてよい。第１の開口部１１８は、スリーブ１３０を受け入れるように寸法決定および形状決定されてよく、狭小部分１６８は、スリーブ１３０がさらにレセプタクル１１０へと挿入されることを防止してよい。いくつかの構成では、スリーブ１３０は、レセプタクル１１０の内側に配置されてよく、レセプタクル１１０とファイバスタブ１２０との間の開口部１１８に保持されてよい。そうした構成では、スリーブ１３０をファイバスタブ１２０および／またはレセプタクル１１０に対し接着剤により固定することは、必須でなくてよい。さらに、そうした構成では、レセプタクル１１０、スリーブ１３０、ファイバスタブ１２０および／またはハウジング１０６の相対位置は、光電子モジュール１００のコンポーネントを適切に整合するように調節されてよい。他の構成では、スリーブ１３０、ファイバスタブ１２０および／またはレセプタクル１１０は、エポキシなどの接着剤により、またはレーザ溶接もしくは超音波溶接により互いに固定されてよい。
【００６２】
コンポーネントが互いに整合されると、レセプタクル１１０は、ハウジング１０６に対し固定されてよい。例えば、エポキシなどの接着剤が、レセプタクル１１０およびハウジング１０６を互いに固定するように、開口部１１６へと注入されてよい。他の構成では、レセプタクル１１０およびハウジング１０６は、レーザ溶接または超音波溶接によって互いに結合してよい。
【００６３】
いくつかの態様では、ハウジング１０６、レセプタクル１１０、ファイバスタブ１２０およびスリーブ１３０が互いに固定されると、光電子モジュール１００のアセンブリが完成してよく、コネクタアセンブリ１５０が光ファイバ１０２に結合してよい。例えば、光ファイバ１０２は、ファイバスタブ１２０と光学的に結合されるように、少なくとも部分的には開口部１１９の内側に配置されてよい。これに加えて、またはこれに代えて、光ファイバ１０２は、レセプタクル１１０および／またはスリーブ１３０と機械的に結合されるように、少なくとも部分的には開口部１１９の内側に配置されてよい。いくつかの構成では、スリーブ１３０は、ファイバスタブ１２０を光ファイバ１０２と光学的および機械的に整合することを容易にしてよい。特に、スリーブ１３０は、ファイバスタブ１２０および光ファイバ１０２を、その両方が少なくとも部分的にはファイバスタブ１２０の内側に配置されているときに、光学的および機械的に整合するように、寸法決定および形状決定されてよい。
【００６４】
図２Ａ−図２Ｆは、光電子モジュール２００の別の例としての実施形態の図を示す。光電子モジュール２００は、光電子モジュール１００に関して記載される任意の適切な態様を含んでよく、また、文脈から明らかとなるように、同様の符号が同様のコンポーネントを記載するように用いられてよい。以下にさらに詳細に記載されるように、光電子モジュール１００は、光コンポーネントの配置により「水平」光電子アセンブリとして記載されてよい一方、光電子モジュール２００は、光電子モジュール２００の光コンポーネントの配置により「鉛直」光電子アセンブリとして記載されてよい。
【００６５】
図２Ａは、光電子モジュール２００の頂面斜視図である。示されるように、光電子モジュール２００は、光電子モジュール２００を光ファイバ２０２に対し光学的および機械的に結合するためのコネクタアセンブリ２５０を備えてよい。
【００６６】
光電子モジュール２００は、互いに結合されているベース２０４およびハウジング２０６を備えてよい。ベース２０４は、ハウジング２０６の底部に対し結合されてよい。ハウジング２０６は、送信機コンポーネントおよび／または受信機コンポーネントなどの、ベース２０４上に配置されているコンポーネントを少なくとも部分的に包含してよい。光電子モジュール２００の鉛直の配向に基づいて、ハウジング２０６の底部はハウジング２０６の底部とは異なって配置されてよい。特に、示されるように、ハウジング２０６の底部は、ハウジング２０６および光ファイバ２０２の長手方向軸と整合される。対照的に、光電子モジュール１００の水平の構成では、ハウジング１０６の底部は、ハウジング１０６または光ファイバ１０２の長手方向軸と交わらない。これにも関わらず、光電子モジュール１００，２００についての他の構成が実装されてよい。
【００６７】
コネクタアセンブリ２５０は、光ファイバ２０２の光ファイバコネクタと嵌合するように構成されてよい。コネクタアセンブリ２５０は、第１端部２１２と第２端部２１４との間に延びるとともに第１端部２１２と第２端部２１４とを含むレセプタクル２１０を備えてよい。第１端部２１２は、光ファイバ２０２を受け入れるように寸法決定および形状決定されてよい。第２端部２１２は、ハウジング２０６と嵌合するように寸法決定および形状決定されてよい。第２端部２１４は、レセプタクル２１０の長手方向軸を横切ってレセプタクル２１０の内部へと延びている、開口部２１６を形成してよい。開口部２１６は、レセプタクル２１０の内部に配置されているコンポーネントを固定するように、材料がレセプタクル２１０の内部へと注入されることを可能としてよい。例えば、エポキシ樹脂などの接着剤が、開口部２１６を通じてレセプタクル２１０へと配置されてよい。レセプタクル２１０は、任意の適切な数の開口部２１６を備えてよく、開口部２１６はレセプタクル２１０の任意の位置に（例えば、第１端部２１２に近接して）配置されてよい。
【００６８】
図２Ａは、光電子モジュール２００の頂面分解立体図である。示されるように、コネクタアセンブリ２５０は、ハウジング２０６およびレセプタクル２１０の内側に配置されるように寸法決定および形状決定されているファイバスタブ２２０およびスリーブ２３０を備えてよい。
【００６９】
ファイバスタブ２２０は、第１端部２２２と第２端部２２４との間に延びるとともに第１端部２２２と第２端部２２４とを備えてよい。以下にさらに詳細に記載されるように、第１端部２２２は光ファイバ２０２と光学的に結合されてよく、第２端部２２４は光電子モジュール２００の他のコンポーネントと光学的に結合されてよい。ファイバスタブ２２０は、光信号が光電子モジュール２００と光ファイバ２０２との間を進むことを可能とするように、ファイバコアなどの光伝送媒体から形成されてよい。
【００７０】
ファイバスタブ２２０は、光ファイバ２０２と光学的にインタフェースをなすように、光ファイバ２０２のコアに対向して配置されてよい。ファイバスタブ２２０の直径は、光ファイバ２０２のコアの直径に相当するように選択されてよい。これに加えて、またはこれに代えて、ファイバスタブ２２０の光学的構成（例えば、シングルモード、マルチモードなど）が、光ファイバ２０２のコアに対応するように選択されてよい。
【００７１】
支持部材２２３は、ファイバスタブ２２０を少なくとも部分的には包囲するように配置されてよい。支持部材２２３は、ファイバスタブ２２０を、配置するか、光ファイバ２０２および／または光電子モジュール２００の光コンポーネントと整合させるか、その両方を行うことを容易にしてよい。示される構成では、支持部材２２３は、ファイバスタブ２２０を部分的には包含するリングである。いくつかの構成では、そのリングは金属または金属材料を含むか、金属または金属材料から形成されてよい。
【００７２】
スリーブ２３０は、ファイバスタブ２２０と対応する光ファイバ２０２の光伝送部分とを互いに機械的および光学的に結合するように、ファイバスタブ２２０と対応する光ファイバ２０２の光伝送部分とを少なくとも部分的には包囲するように構成されてよい。スリーブ２３０は、第１端部２３２と第２端部２３４との間に延びるとともに第１端部２３２と第２端部２３４とを含んでよく、ファイバスタブ２２０および／または光ファイバ２０２のコアを受け入れるように寸法決定および形状決定されている開口部２３６を形成してよい。開口部２３６は、第１端部２３２と第２端部２３４との間に延びてよく、ファイバスタブ２２０の外径に相当する内径を含んでよい。いくつかの構成では、スリーブ２３０は、セラミック材料を含んでよい。
【００７３】
スリーブ２３０は、弾性材料から形成されてよく、スリーブ２３０が変形してスリーブ２３０の内径および／または外径を変化させることを可能とするように、第１端部２３２と第２端部２３４との間に延びるスロット２３８を形成してよい。特に、スリーブ２３０の弾性は、スロット２３８が拡張または収縮することを可能とし、それによってスリーブ２３０の特定の寸法（例えば、内径、内径および／または外径）を変化させてよい。いくつかの構成では、スリーブ２３０は二酸化ジルコニウムまたは他の適切な材料を含んでよい。
【００７４】
続いて図２Ｂを参照して、ハウジング２０６は、ファイバスタブ２２０、スリーブ２３０および／またはレセプタクル２１０に対応する軸に沿って延びてよいレンズポート２４０を備えてよい。レンズポート２４０は、ファイバスタブ１２０および／または支持部材２２３の一部を受け入れるように寸法決定および形状決定されている開口部２４２を形成してよい。特に、開口部２４２の内径は、ファイバスタブ２２０および／または支持部材２２３の外径に相当してよい。レンズポート２４０もまた、レセプタクル２１０とインタフェースをなすように寸法決定および形状決定されてよい。特に、レセプタクル２１０の第２端部２１４は、レンズポート２４０を受け入れるように寸法決定および形状決定されている第１の開口部２１８を形成してよい。第１の開口部２１８の内径は、レンズポート２４０の外径に相当してよい。レンズポート２４０は、ファイバスタブ２２０が少なくとも部分的にはレセプタクル２１０内に配置されるように、レセプタクル２１０の内側に少なくとも部分的には配置されてよい。レセプタクル２１０の第１端部２１２は、光ファイバ２０２を受け入れるように寸法決定および形状決定されている第２開口部２１９を形成してよい。特に、第２開口部２１９の内径は、光ファイバ２０２のコアの外径に相当してよい。
【００７５】
レンズポート２４０は、レンズポート２４０の長手方向軸を横切ってレンズポート２４０の内部へと延びている、開口部２４４を形成してよい。開口部２４４は、レンズポート２４０の内部に配置されるコンポーネントを固定するように、材料がレンズポート２４０の内部へと注入されることを可能としてよい。例えば、エポキシ樹脂などの接着剤が、開口部２４４を通じてレンズポート２４０へと配置されてよい。レンズポート２４０は、任意の適切な数の開口部２４４を備えてよく、開口部２４４は、レンズポートの任意の部分に配置されてよい。
【００７６】
いくつかの構成では、レセプタクル２１０がレンズポート２４０を包囲するように配置される前に、レンズポート２４０に対してファイバスタブ２２０を固定するように、材料が開口部２４４へと注入されてよい。次いで、レンズポート２４０は、レンズポート２４０を少なくとも部分的には包囲するように配置されてよく、次いで、材料は、レンズポート２４０に対してレセプタクル１２１０を固定するように、レセプタクル２１０の開口部２１６へと注入されてよい。
【００７７】
図２Ｃは、破線により示される特定の内部コンポーネントを有する光電子モジュール２００の斜視図である。図２Ｃに示されるように、ファイバスタブ２２０、支持部材２２３およびスリーブ２３０は、少なくとも部分的にはレセプタクル２１０の内側に配置されてよい。スリーブ２３０は、ファイバスタブ２２０を少なくとも部分的には包囲してよい。ハウジング２０６は、ハウジング２０６の底部からハウジング２０６の内部に延びる第２のキャビティ２４７を形成してよい。キャビティ２４７は、ベース２０４によって少なくとも部分的には塞がれてよい。光電子コンポーネント２５４は、少なくとも部分的にはキャビティ２４７の内側に配置されてよい。光電子コンポーネント２５４は、電気信号を受信し光信号を出力する光送信機、および／または光信号を受信し電気信号を出力する光受信機を備えてよい。光電子コンポーネント２５４は、電気信号および／または光信号を変調するための任意の適切なコンポーネントを備えてもよい。いくつかの構成では、基板が少なくとも部分的にはキャビティ２４７の内側に配置されてよく、光電子コンポーネント２５４がその基板上に配置されてよい。例えば、基板は、フレキシブルプリント回路板（ＰＣＢ）、リジッドプリント回路板（ＰＣＢ）または他の適切な基板であってよい。
【００７８】
ファイバスタブ２２０は、光電子コンポーネント２５４と光ファイバ２０２との間において光信号２５２を伝送してよい（図２Ａ参照）。ハウジング２０６は、光が光電子コンポーネント２５４とファイバスタブ２２０との間においてハウジング２０６を通過することを可能とするように、少なくとも部分的には透明であってよい。
【００７９】
ハウジング２０６は、光コンポーネント２４８を通じて進む光信号２５２を搬送すること、方向付けること、コリメートすること、焦点を合わせること、のうちの１つ以上を行うように構成されている光コンポーネント２４８を形成してよい。示される構成では、光コンポーネント２４８は、キャビティ２４７の内側に配置されているレンズを備える。示されるように、光コンポーネント２４８は、光電子コンポーネント２５４とファイバスタブ２２０との間にて光学的に結合される。光コンポーネント２４８は、光電子コンポーネント２５４に、および／または光電子コンポーネント２５４から進む光の焦点を合わせてよい。
【００８０】
図２Ｄは、光電子モジュール２００の内部の態様をさらに示す、光電子モジュール２００の断面図である。示されるように、レンズポート２４０は、開口部２４２を形成する第１表面２９０ａと第２表面２９０ｂとを備えてよい。示される構成では、第１表面２９０ａおよび第２表面２９０ｂは、互いに対して１２０°の角度に整列されているが、他の構成が実装されてよい。第１および第２表面２９０ａ−ｂは、ファイバスタブ２２０がレンズポート２４０に配置されているように、ファイバスタブ２２０を支持してよい。特に、第１および第２表面２９０ａ−ｂは、ファイバスタブ２２０が光電子モジュールの他のコンポーネントと光学的および機械的に整合するように、ファイバスタブ２２０を支持してよい。これに加えて、またはこれに代えて、第１および第２表面２９０ａ−ｂは、ファイバスタブ２２０をレンズポート２４０の中心に置くことを容易にしてよい。例えば、第１および第２表面２９０ａ−ｂは、ファイバスタブ２２０が少なくとも部分的にはレンズポート２４０の内側に配置されるときに、ファイバスタブ２２０が適切に中心に置かれるように配置されてよい。
【００８１】
図２Ｅは、光電子モジュール２００の内部の態様をさらに示す、光電子モジュール２００の別の断面図である。ハウジング２０６は、レンズポート２４０の長手方向軸に沿って延びるキャビティ２５７を形成してよい、示されるように、ファイバスタブ２２０は、光信号２５２がファイバスタブ２２０と光電子コンポーネント２５４との間を進み得るように、キャビティ２５７にてハウジング２０６に当接してよい。ハウジング２０６は、光コンポーネント２５６を通じて進む光信号２５２を搬送すること、方向付けること、コリメートすること、焦点を合わせること、のうちの１つ以上を行うように構成されている光コンポーネント２５６を形成してよい。示される構成では、光コンポーネント２５６は、キャビティ２５７の内側に配置されているレンズを備える。示されるように、光コンポーネント２５６は、ファイバスタブ２２０と光電子コンポーネント２５４との間にて光学的に結合される。光コンポーネント２５６は、ファイバスタブ２２０と光電子コンポーネント２５４との間に進む光の焦点を合わせてよい。
【００８２】
いくつかの構成では、光信号２５２は、光ファイバ２０２（図２Ａ参照）から、ファイバスタブ２２０、光コンポーネント１５６、光コンポーネント２４８を通じて進んでよく、光電子コンポーネント２５４によって受信されてよい。これに加えて、またはこれに代えて、光信号２５２は、光電子コンポーネント２５４にて生成されてよく、次いで、光コンポーネント２４８、光コンポーネント２５６およびファイバスタブ２２０を通じて、光ファイバ２０２（図２Ａ参照）に進んでよい。
【００８３】
続いて図２Ａ−図２Ｅを参照して、光電子モジュール２００を組立および製造する例としての態様が説明される。いくつかの構成では、ハウジング２０６およびレセプタクル２１０は、プラスチックから形成されてよい。ハウジング２０６および／またはレセプタクル２１０は、プラスチック成形または注入成形などの任意の適切な処理によって形成されてよい。
【００８４】
光電子モジュール２００の組立中、支持部材２２３がファイバスタブ２２０の周りに配置されてよく、ファイバスタブ２２０がハウジング２０６の開口部２４２に配置されてよい。いくつかの構成では、ファイバスタブ２２０は、ファイバスタブ２２０の第２端部２２４がハウジング２０６に少なくとも部分的に当接するように、開口部２４２の端部に配置されてよい（例えば、図２Ｅ参照）。ファイバスタブ２２０およびハウジング２０６は、互いに固定されてよい。例えば、エポキシなどの接着剤が、ファイバスタブ２２０およびハウジング２０６を互いに固定するように、開口部２４４へと注入されてよい。
【００８５】
ファイバスタブ２２０の第１端部２２２は、スリーブ１３０の開口部２３６の内側に配置されてよい。スリーブ２３０は、ファイバスタブ２２０の第１端部２２２の周りに配置されてよい。図２Ｅに示されるように、スリーブ２３０は、支持部材２２３に当接するように配置されてよく、その支持部材２２３はハウジング２０６のレンズポート２４０に同様に当接する。したがって、スリーブ２３０、支持部材２２３およびハウジング１０６は、それらの中に部分的または完全に、ファイバスタブ２２０を包囲する。
【００８６】
ハウジング２０６、ファイバスタブ２２０、支持部材２２３およびスリーブ２３０は、少なくとも部分的にはレセプタクル２１０の開口部２１８の内側に配置されてよい。図２Ｅに示されるように、第１の開口部２１８は、第２の開口部２１９の対応する直径よりも大きい直径を含んでよい。レセプタクル２１０は、第１の開口部２１８と第２の開口部２１９との間に第１狭小部分２６８および第２狭小部分２６９を備えてよい。第１開口部２１８は、スリーブ２３０を受け入れるように寸法決定および形状決定されてよく、狭小部分２６８は、スリーブ２３０がさらにレセプタクル２１０へと挿入されることを防止してよい。狭小部分２６は、支持部材がファイバスタブ２２０を支持するように、支持部材２２３がさらにレセプタクル２１０へと挿入されることを防止してよい。
【００８７】
いくつかの構成では、スリーブ２３０は、レセプタクル２１０の内側に配置されてよく、レセプタクル２１０、支持部材２２３とファイバスタブ２２０との間の開口部２１８に支持されてよい。そうした構成では、ファイバスタブ２２０、支持部材２２３および／またはレセプタクル２１０に対して接着剤によりスリーブ２３０を固定することは、必須でなくてよい。さらに、そうした構成では、レセプタクル２１０、スリーブ２３０、ファイバスタブ２２０、支持部材２２３および／またはハウジング２０６の相対位置は、光電子モジュール２００のコンポーネントを適切に整合するように調節されてよい。他の構成では、スリーブ２３０、ファイバスタブ２２０、および／またはレセプタクル２１０は、エポキシ樹脂などの接着剤により互いに固定されてよい。
【００８８】
コンポーネントが互いに整合されると、レセプタクル２１０はハウジング２０６に対し固定されてよい。例えば、エポキシなどの接着剤が、レセプタクル２１０およびハウジング２０６を互いに固定するように、開口部２１６へと注入されてよい。他の構成では、レセプタクル２１０およびハウジング２０６は、レーザ溶接または超音波溶接によって互いに結合されてよい。
【００８９】
いくつかの態様では、ハウジング２０６、レセプタクル２１０、ファイバスタブ２２０、およびスリーブ２３０が、互いに固定され、光電子モジュール２００のアセンブリが完成してよく、コネクタアセンブリ２５０は光ファイバ２０２に対し結合されてよい。例えば、光ファイバ２０２は、ファイバスタブ２２０と光学的に結合されるように、少なくとも部分的には開口部２１９の内側に配置されてよい。これに加えて、またはこれに代えて、光ファイバ２０２は、レセプタクル２１０および／またはスリーブ２３０と機械的に結合されるように、少なくとも部分的には開口部２１９の内側に配置されてよい。
【００９０】
光電子モジュール１００および光電子モジュール２００に関して記載される態様は、光反射損失を低減させるように、光電子モジュールを光ファイバと光学的および機械的に結合するために実装されてよい。例えば、コネクタアセンブリ１５０，２５０は、光反射損失を低減させるように、対応する光ファイバ１０２，２０２を光学的に結合することを容易にしてよい。特に、コネクタアセンブリ１５０，２５０は、光反射損失を低減させるように、ファイバスタブ１２０，２２０が対応する光ファイバ１０２，２０２に対向して配置されることを可能としてよい。いくつかの構成では、光電子モジュール１００，２００は、２６デシベル（ｄＢ）未満の光反射損失を含む光接続部を達成するように実装されてよい。
【００９１】
これに加えて、またはこれに代えて、コネクタアセンブリ１５０，２５０の態様によって、適切な公差を有する光接続部が得られてよい。いくつかの構成では、長波長光電子システムは、一般には短波長光電子システムよりも厳しい公差を必要とされているが、コネクタアセンブリ１５０，２５０の態様が、低い製造コストにより適切な公差を有する光電子モジュールを生成するように、長波長光電子システムに実装されてよい。他の構成では、コネクタアセンブリ１５０，２５０の態様が、製造コストを減少させること、公差を向上させること、光結合を向上させること、のうちの１つ以上を行うように、短波長光電子システムに実装されてよい。
【００９２】
レセプタクル１１０，２１０および／またはハウジング１０６，２０６は、光接続部についての適切な公差を保持しつつプラスチック材料から形成されてよいため、光電子モジュール１００，２００を製造するコストは、従来の光電子モジュールと比較したとき、減少し得る。特に、レセプタクル１１０，２１０および／またはハウジング１０６，２０６はプラスチック材料から形成されてよいため、レーザ溶接などの比較的高価な製造技術が避けられる。これに加えて、金属コンポーネントに関連する他の製造コストが避けられる。
【００９３】
コネクタアセンブリ１５０，２５０の態様は、適切な公差を有するか光反射損失を低減させるかその両方である従来のコネクタアセンブリよりも、製造するのが比較的高価でなくてよい。記載される態様は、アセンブリを単純化することによって製造過程を単純化できることを含む、様々は利益を提供する。さらに、いくつかの状況では、本明細書に記載される概念は、既存製品の全寸法および構造を修正することなく実装されてよい。
【００９４】
本明細書および特許請求の範囲に用いられる用語および極は、書誌的意味に限定されるのではなく、本開示の明瞭かつ矛盾のない理解を可能とするように用いられるに過ぎない。単数形「１つの（ａ）」、「１つの（ａｎ）」および「その（ｔｈｅ）」は、文脈が明らかにそうでないと指示しない限り、複数の指示対象を含むと理解される。したがって、例えば、「１つのコンポーネントの表面」の参照は、１または複数のそうした表面の参照を含む。
【００９５】
用語「ほぼ」によって、記載される特性、パラメータ、または値は、正確に達成される必要がないことが意図されるが、例えば、公差、測定誤差、測定精度限界、および当業者に知られる他の要因を含む逸脱または変化は、特性が提供することを意図された効果を妨げない量にて生じてよい。本開示の態様は、本開示の本質または必須の特性から逸脱せずに他の形態にて実施されてよい、記載された態様は、あらゆる点において例示的であり限定的でないとみなされる。請求項に記載の発明の主題は、上述の記載によってよりも添付の特許請求の範囲によって示される。特許請求の範囲の均等物の意味および範囲内にある全ての変更は、特許請求の範囲の範囲内に含まれる。
【図１Ａ】
2020522742.tif 000003
【図１Ｂ】
2020522742.tif 000004
【図１Ｃ】
2020522742.tif 000005
【図１Ｄ】
2020522742.tif 000006
【図１Ｅ】
2020522742.tif 000007
【図１Ｆ】
2020522742.tif 000008
【図２Ａ】
2020522742.tif 000009
【図２Ｂ】
2020522742.tif 000010
【図２Ｃ】
2020522742.tif 000011
【図２Ｄ】
2020522742.tif 000012
【図２Ｅ】
2020522742.tif 000013
【手続補正書】
【提出日】令和1年12月26日(2019.12.26)
【手続補正１】
【補正対象書類名】特許請求の範囲
【補正対象項目名】全文
【補正方法】変更
【補正の内容】
【特許請求の範囲】
【請求項１】
光電子アセンブリ用のコネクタアセンブリにおいて、
ファイバスタブであって、光伝送媒体と少なくとも部分的には該ファイバスタブの周囲の周りを延びるチャネルとを備える、ファイバスタブと、
前記ファイバスタブと光ファイバの対応する光伝送部分とを受け入れるように寸法決定および形状決定されているスリーブ開口部を形成するスリーブと、
１つ以上の送信機または１つ以上の受信機を少なくとも部分的には包含するハウジングキャビティを形成するハウジングであって、前記ファイバスタブの一部を受け入れるように寸法決定および形状決定されているレンズポート開口部を形成するレンズポートを備える、ハウジングと、
前記ファイバスタブが前記レンズポートにおいて調節されることを可能とするように張り出した構成を備え、前記ファイバスタブと前記レンズポートとの間に形成される、別のチャネルと、
前記レンズポート、前記スリーブおよび前記ファイバスタブを受け入れるように寸法決定および形状決定されているレセプタクル開口部を形成するレセプタクルと、を備え、
前記ファイバスタブは、少なくとも部分的には前記レンズポート開口部と前記スリーブ開口部とに配置されており、
前記スリーブおよび前記レンズポートは、少なくとも部分的には前記レセプタクル開口部に配置されている、コネクタアセンブリ。
【請求項２】
前記レセプタクルは、前記光ファイバの光ファイバコネクタと嵌合するように構成されている、請求項１に記載のコネクタアセンブリ。
【請求項３】
前記ハウジングと前記レセプタクルとは、プラスチック材料を備える、請求項１に記載のコネクタアセンブリ。
【請求項４】
前記レセプタクルは、ＥＭＩを減衰させる材料、または光がそれを通過することを防止する金属充填材をさらに備える、請求項３に記載のコネクタアセンブリ。
【請求項５】
前記ハウジングは、前記ファイバスタブと前記送信機または前記受信機との間において少なくとも部分的には透明である、請求項３に記載のコネクタアセンブリ。
【請求項６】
前記ハウジングは、前記送信機または前記受信機に対し光学的に結合されている１つ以上の光コンポーネントをさらに備える、請求項１に記載のコネクタアセンブリ。
【請求項７】
前記スリーブは、少なくとも部分的には前記スリーブの第１端部と第２端部との間に延びているスロットを備える、請求項１に記載のコネクタアセンブリ。
【請求項８】
前記レセプタクルの内部へと前記レセプタクルの長手方向軸を横切って延びている開口部をさらに備える、請求項１に記載のコネクタアセンブリ。
【請求項９】
光電子アセンブリにおいて、
１つ以上の送信機または１つ以上の受信機と、
光ファイバの光伝送部分を受け入れるように寸法決定および形状決定されているスリーブ開口部を形成するスリーブと、
前記送信機または前記受信機を少なくとも部分的には包含するハウジングキャビティを形成するハウジングであって、レンズポート開口部を形成するレンズポートを備える、ハウジングと、
少なくとも部分的には前記スリーブ開口部と前記レンズポート開口部とに配置されているファイバスタブであって、少なくとも部分的には該ファイバスタブの周囲の周りを延びるチャネルを形成するファイバスタブと、
前記ファイバスタブが前記レンズポートにおいて調節されることを可能とするように張り出した構成を備え、前記ファイバスタブと前記レンズポートとの間に形成される、別のチャネルと、
レセプタクル開口部を形成するレセプタクルであって、前記レンズポート、前記スリーブおよび前記ファイバスタブが少なくとも部分的には前記レセプタクル開口部に配置されている、レセプタクルと、を備える、光電子アセンブリ。
【請求項１０】
前記レセプタクルは、前記光ファイバの光ファイバコネクタと嵌合するように構成されている、請求項９に記載の光電子アセンブリ。
【請求項１１】
前記ハウジングおよび前記レセプタクルは、プラスチック材料を備える、請求項９に記載の光電子アセンブリ。
【請求項１２】
前記レセプタクルは、ＥＭＩを減衰させる材料、または光がそれを通過することを防止する金属充填材をさらに備える、請求項１１に記載の光電子アセンブリ。
【請求項１３】
前記ハウジングは、前記ファイバスタブと前記送信機または前記受信機との間において少なくとも部分的には透明である、請求項１１に記載の光電子アセンブリ。
【請求項１４】
前記ハウジングは、前記送信機または前記受信機に対し光学的に結合されている１つ以上の光コンポーネントをさらに備える、請求項９に記載の光電子アセンブリ。
【請求項１５】
前記スリーブは、少なくとも部分的には前記スリーブの第１端部と第２端部との間に延びているスロットを備える、請求項９に記載の光電子アセンブリ。
【請求項１６】
前記レセプタクルの内部へと前記レセプタクルの長手方向軸を横切って延びている開口部をさらに備える、請求項９に記載の光電子アセンブリ。
【請求項１７】
前記レンズポートの内部へと前記レンズポートの長手方向軸を横切って延びている開口部をさらに備える、請求項９に記載の光電子アセンブリ。
【請求項１８】
前記ファイバスタブ、前記スリーブ、前記レセプタクル、および前記レンズポートは、互いに同心に整列されている、請求項９に記載の光電子アセンブリ。
【国際調査報告】
2020522742.tif 000014
2020522742.tif 000015